(57)【特許請求の範囲】
【請求項１】
胴体部と、該胴体部の上部に嵌合された保持部と、該保持部の外周を囲うように前記胴体部の上部に該胴体部の軸回りに回転可能に取り付けられた円筒状の操作部と、該操作部の内側に配設される半球形状の印判部と、前記操作部の回転にともなって該印判部を胴体部の軸と直交する軸回りに回転させて印面部の上向きと下向きを切換える切換機構とからなり、前記印判部はその切面に印面部を有することを特徴とするキャップレス印鑑。
【請求項２】
前記切換機構が、前記印判部から延設された回転子と、前記保持部の上面に形成されるとともに前記回転子を回転させる回転面と、前記操作部の内壁に設けられ前記回転子を回転可能に支承する支承部とからなり、前記回転子は前記印判の左右に配置されることを特徴する請求項１記載のキャップレス印鑑。
【請求項３】
前記保持部に形成された回転面には、前記回転子を摺動させる平坦な摺動区間と該回転子を回転させる回転突起部が形成され、該回転子には前記保持部に形成された摺動区間上を摺動する半円形状摺動部と回転突起部に噛合う一対の突起が形成されてなることを特徴とする請求項２記載のキャップレス印鑑。
【請求項４】
前記保持部に形成された回転面と回転子がかさ歯車であることを特徴とする請求項２記載のキャップレス印鑑。
【請求項５】
胴体部と、該胴体部の上部に嵌合された保持部と、前記保持部上方に配置され、半球形状の印面部を有する印判部と、前記印判部と接続し該印判部の側面に配置された回転子と、前記保持部の側面に形成された回転ノブ取付軸に回転可能に外嵌する回転ノブからなり、前記回転ノブには前記回転子を収納可能な回転溝が形成され、前記回転子の外周面と前記回転溝が接触し、前記印判部はその切面に印面部を有することを特徴とするキャップレス印鑑。
【請求項６】
前記回転子が円板形状の円板部と楕円形状の楕円部とからなり、前記回転溝が半円弧帯状に形成され、その溝両端において、楕円部の短軸より僅かに広く形成された摺動区間が形成されていることを特徴とする請求項５記載のキャップレス印鑑。
【発明の詳細な説明】
【技術分野】
【０００１】
本発明は、印判面を覆うキャップを構成要素とせず、事務作業の効率化を向上させるキャップレス印鑑に関する。
【背景技術】
【０００２】
従来、印鑑においては、印判面が露出し、他のものをインクで汚すことを防ぐため、若しくは、液浸透式の印鑑においては、印判面が露出し、印判面が乾燥することを防ぐために、印鑑本体と分離するキャップをしていた。また、キャップと印鑑本体を分離しない印鑑の形態として、特許文献１に記載されるような印鑑が提案された。
【０００３】
【特許文献１】特開平１１−１０５３９１号公報
【発明の開示】
【発明が解決しようとする課題】
【０００４】
従来の上記分離型のキャップを有する印鑑においては、頻繁に使用する場合にキャップの着脱に手間がかかる。また、キャップを紛失する恐れがあり、紛失により印鑑の保管に様々な問題が生じ、紛失したキャップを探すことで時間をとられ、事務効率を低下させる原因ともなる。
加えて、特許文献１に示すような、キャップと印鑑本体が分離しない形態の印鑑においても、印鑑のキャップの着脱には両手を使うものであり、事務作業の際両手がふさがり、事務作業が非効率なものとなる。
【０００５】
本発明は、上記従来の実情に鑑みてなされたものであって、印鑑使用時にキャップの着脱作業を要せず、また片手で印判の露出、収納作業を容易にできるキャップレス印鑑を提供することを目的とする。
【課題を解決するための手段】
【０００６】
請求項１記載の発明は、胴体部と、該胴体部の上部に嵌合された保持部と、該保持部の外周を囲うように前記胴体部の上部に該胴体部の軸回りに回転可能に取り付けられた円筒状の操作部と、該操作部の内側に配設される半球形状の印判部と、前記操作部の回転にともなって該印判部を胴体部の軸と直交する軸回りに回転させて印面部の上向きと下向きを切換える切換機構とからなり、前記印判部はその切面に印面部を有することを特徴とするキャップレス印鑑である。
請求項２記載の発明は、前記切換機構が、前記印判部から延設された回転子と、前記保持部の上面に形成されるとともに前記回転子を回転させる回転面と、前記操作部の内壁に設けられ前記回転子を回転可能に支承する支承部とからなり、前記回転子は前記印判の左右に配置されることを特徴する請求項１記載のキャップレス印鑑である。
【０００７】
請求項３記載の発明は、前記保持部に形成された回転面には、前記回転子を摺動させる平坦な摺動区間と該回転子を回転させる回転突起部が形成され、該回転子には前記保持部に形成された摺動区間上を摺動する半円形状摺動部と回転突起部に噛合う一対の突起が形成されてなることを特徴とする請求項２記載のキャップレス印鑑である。
請求項４記載の発明は、前記保持部に形成された回転面と回転子がかさ歯車であることを特徴とする請求項２記載のキャップレス印鑑である。
【０００８】
請求項５記載の発明は、胴体部と、該胴体部の上部に嵌合された保持部と、前記保持部上方に配置され、半球形状の印面部を有する印判部と、前記印判部と接続し該印判部の側面に配置された回転子と、前記保持部の側面に形成された回転ノブ取付軸に回転可能に外嵌する回転ノブからなり、前記回転ノブには前記回転子を収納可能な回転溝が形成され、前記回転子の外周面と前記回転溝が接触し、前記印判部はその切面に印面部を有することを特徴とするキャップレス印鑑である。
請求項６記載の発明は、前記回転子が円板形状の円板部と楕円形状の楕円部とからなり、前記回転溝が半円弧帯状に形成され、その溝両端において、楕円部の短軸より僅かに広く形成された摺動区間が形成されていることを特徴とする請求項５記載のキャップレス印鑑である。
【発明の効果】
【０００９】
請求項１及び２記載の発明によれば、操作部の回転によって、回転子が回転するので、回転子に接続する印面部の上向きと下向きを切換えることが出来る。したがって、印面部の向きの切換を片手で行うことができる。
また、略半球形状の印判部を回転させることにより印面の露出及び収納が可能となるので、印判部及び印判部の印面の露出及び収納をするための機構を比較的簡単で小さな構造にすることが出来る。
【００１０】
請求項３記載の発明によれば、保持部上面に回転子を回転させる回転突起部と摺動区間が形成されているので、回転子が回転及び摺動運動をするため、回転子が回転している間のみ印面部の向きが切り替わる。また、回転子が摺動区間に位置しているときは印面部は静止状態にある。故に、キャップレス印鑑を使用していないときに、操作部の僅かな回転によっても印面部は静止していることが可能であるので、不使用時に周囲を汚すことがない。
【００１１】
請求項４記載の発明によれば、操作部の回転によって、回転子が回転するので、回転子に接続する印面部の上向きと下向きを切換えることが出来る。したがって、印面部の向きの切換を片手で行うことができる。
【００１２】
請求項５記載の発明によれば、回転ノブの回転によって、回転溝の壁面から回転子に回転力が伝達され、回転子が回転するので、回転子に接続する印面部の上向きと下向きを切換えることが出来る。したがって、印面部の向きの切換を片手で行うことができる。
請求項６記載の発明によれば、摺動区間において回転子の楕円部が回転溝の壁面に挟持されるので、回転子が回転しない。故に、キャップレス印鑑を使用していないときに、回転ノブの僅かな回転によっても印面部は静止していることが可能であるので、不使用時に周囲を汚すことがない。
【発明を実施するための最良の形態】
【００１３】
以下、本発明に係るキャップレス印鑑の実施の形態について、図を参照しつつ説明する。図１は本発明に係るキャップレス印鑑の組立図である。図１（ａ）は、該キャップレス印鑑を上方から見た図であり、図１（ｂ）は該キャップレス印鑑の正面図である。
図１に示されるように、キャップレス印鑑（１）は、胴体部（２）、胴体部（２）の上部に嵌合された保持部（３）、操作部の内側に配設され切面に印面部を有する印判部（４）、印判部（４）より延設された回転子（５）、及び胴体部（２）の上部に胴体部（２）の軸回りに回転可能に取り付けられた円筒状の操作部（６）からなる。
【００１４】
図２に保持部（３）を示す。図２（ａ）は、保持部（３）を上から見た図であり、図２（ｂ）は、保持部（ｂ）の側面図であり、図２（ｃ）は図２（ａ）に示されるＡ−Ａ断面図である。
保持部（３）は、底部が略椀状に形成された保持部上部（３１）と保持部上部の底部から、保持部（３）の軸を中心として、図２（ｃ）において、右方に延設された円筒形状の嵌合部材（３２）からなる。
保持部上部（３１）の上端面には後述する回転子が回転する回転面が形成される。保持部上部（３１）の上端面の、図２（ａ）におけるＡ−Ａ断面線右半分側に、略Ｗ形状に形成された回転突起部（７）と回転突起部（７）の周方向両側に略Ｕ字形状にへこみ、平坦な面を有する摺動区間（８）が形成されている。保持部上部（３１）の上端面の、図２（ａ）におけるＡ−Ａ断面線左半分側に、略Ｕ字形状にへこみ平坦面を有する補助回転区間（９）と補助回転区間（９）の両側に平坦な補助摺動区間（１０）が形成されている。
また回転突起部（７）と補助回転区間（９）とはＡ−Ａ断面線を境に相対している。
更にＡ−Ａ断面線上には、回転止め部（１１）が形成されている。
【００１５】
略椀形状に形成された保持部上部（３１）の最外周面に沿って、据付け壁（１２）が延設されている。したがって、据付け壁（１２）は円筒形状である。
据付け壁（１２）の先端は、胴体部との据付を安定させるために、据付け部（１３）が肉厚に形成され、据付け部（１３）は保持部上部（３１）の外周方向に突出している。
また、据付け壁（１２）外周面周方向に沿って、操作部摺動溝（１４）が形成されている。
据付け部（１３）の胴体部（２）との据付け面（１６）上に回り止め部（１７）が形成されている。
【００１６】
据付け壁（１２）の内方には、保持部（３）の軸を中心として、図２（ｃ）において右方に延設された円筒形状の嵌合部材（３２）が配置される。嵌合部材（３２）の先端には、嵌合部材（３２）の他の部分よりも肉厚に形成された嵌合部（１５）が形成されている。嵌合部（１５）は円筒形状の外周方向に突出している。
尚保持部（３）は胴体部（２）及び操作部（６）と嵌合されるので、プラスチック等の可撓性の材料で形成されることが好ましい。
【００１７】
図３に、保持部（３）と胴体部（２）を嵌合した状態の断面図を示す。
胴体部（２）は、中空円筒形状であり、保持部（３）の据付け面（１６）と接する面と逆の側は略椀形状に閉じられている。
胴体部内壁上には保持部（３）の据付け壁（１２）に設けられた回り止め部（１７）と係合可能に形成された一対の回り止め突起（１８）が設けられている。回り止め突起（１８）は胴体部の内方に突出している。一対の回り止め突起（１８）の間隔は回り止め部（１７）の幅と等しいか、わずかに広いほうが好ましい。
一対の回り止め突起（１８）と保持部（３）の回り止め部（１７）を係合させることにより、保持部（３）は胴体部周方向に固定される。
【００１８】
更に胴体部（２）の上面と保持部（３）の据付け面（１６）を合わせた状態において、保持部（３）の嵌合部材（３２）上に形成された嵌合部（１５）の上面に接する位置に、環状嵌合部（１９）が配置されている。環状嵌合部（１９）は胴体部（２）の内壁から延設されている。また環状嵌合部（１９）は、円筒形状の嵌合部材（３２）の外径と略等しい内径を有する環状である。
環状嵌合部（１９）と保持部（３）の嵌合部材（３２）を嵌合させることにより、保持部（３）は胴体部（２）の軸方向に固定される。
尚、胴体部（２）は保持部（３）と嵌合されるので、プラスチック等の可撓性の材料で形成されることが好ましい。
【００１９】
図４に印判部（４）を示す。図４（ａ）は印判部（４）の正面図であり、図４（ｂ）は印判部（４）を上方から見た図であり、図４（ｃ）は印判部（４）を左方から見た図であり、図４（ｄ）は印判部（４）を右方から見た図である。
印判部（４）は、印判本体（２０）、回転子（５）、印面部（２１）からなる。
印判部（４）は略半球形状に形成されている。印判部（４）の上面は平坦に形成されている。
印面部（２１）は大径と小径の円柱を該円柱軸方向に重ねた２段の円柱構造をしており、大径の円柱部が印判部（４）に埋設され、小径の円柱部は印判部（４）の平坦部から突出している。また、印面部（２１）の小径の円柱部上面、即ち、印面（２１１）には所望の文字や記号等が刻設されている。
印判部（４）の左右両側には平坦面が形成され（図４（ａ）、（ｂ）参照）、該平坦面上には回転子（５）が延設されている。尚、回転子（５）は印判部（４）に対して、回転可能とされておらず、後述するように、印判部と一体となって回転する。
尚、印判部（４）と印面部（２１）及び／又は回転子（５）は一体に形成されていてもよい。
【００２０】
印判部（４）は、図４（ａ）、（ｂ）に示されるように、印判部（４）の左右に異なる形状の一対の回転子（５）を有する。
図４（ａ）、（ｂ）において、左方に配置される回転子（５）は、本回転子（５１）である。本回転子（５１）は、半円形状の本回転子摺動部（５１１）と一対の突起である本回転子突起部（５１２）からなる（図４（ｃ）参照）。本回転子（５１）の本回転子摺動部（５１１）と本回転子突起部（５１２）の境に位置する直線部は印面（２１１）に対して垂直にされ、本回転子を正面から見る方向で、該直線部を境に右方に本回転子摺動部（５１１）が、左方に本回転子突起部が配置される（図４（ｃ）参照）。
図４（ａ）、（ｂ）において、右方に配置される回転子（５）は、補助回転子（５２）である。補助回転子（５２）は略長方形状であり、短辺は円弧を形成している。略長方形状の補助回転子（５２）の長辺部が印面（２１１）に平行になるように、補助回転子（５２）は配置される。
また、図４（ａ）、（ｂ）において、左右に配設された回転子（５）の上には、左右方向それぞれに突出した円柱形状の被支承部（２２）が設けられている。被支承部（２２）は、後述するように、操作部（６）と回転可能に嵌合する。
【００２１】
図５に、操作部（６）を示す。図６（ａ）は操作部（６）を上方から見た図である。図６（ｂ）は、図６（ａ）におけるＢ−Ｂ断面図である。図６（ｃ）は操作部の正面図である。
操作部（６）は略円筒形状をしている。操作部（６）の上面は壁面を有し、該壁面には操作部（６）の内径よりも小さな径を有する穴が設けられている。該穴から、後述するように、印判部が突出する。
操作部（６）の底面近傍には、操作部（６）の内壁から延設され、操作部（６）内方に突出した環状の操作部摺動突起部（２３）が配置されている。操作部摺動突起部（２３）は後述するように、保持部（３）の操作部摺動溝（１４）と嵌合される。
また、操作部（６）の内壁上の対向する面には、操作部（６）の底面から操作部（６）の上面近傍まで矩形溝形状の支承部（２４）が設けられており、後述するように支承部（２４）と前記印判部（４）の回転子（５）上に設けられた被支承部（２２）と嵌合される。
操作部（６）外壁には、操作部（６）の上面近傍から底面近傍にかけて、軸方向にローレット加工を施され、複数の溝を有している。これにより、操作部（６）を回転させるときに指が操作部（６）上で滑らないようにしている。
後述するように、操作部（６）と印判部（４）は嵌合組立されるので、操作部はプラスチックなどの可撓性の材料からなることが好ましい。
【００２２】
図６は、印判部（４）と操作部（６）の組立図である。図６（ａ）は印判部（４）が操作部（６）に嵌合された状態を示し、図６（ｂ）は被支承部（２２）と支承部（２４）の嵌合状態を示す。
図６（ａ）において、印判部（４）と操作部（６）の組立ては、印判部（４）左右に延設された回転子（５）上の一対の被支承部（２２）を、操作部（６）の底面において、操作部（６）内壁の対向する面に設けられた矩形溝形状の一対の支承部（２４）に合わせ、被支承部（２２）を支承部（２４）の上端まで移動させることにより、支承部（２４）と被支承部（２２）を嵌合させることによって行われる。
これにより、印判部（４）と操作部（６）は回転可能に接続される。
矩形溝形状の支承部（２４）の溝の幅は、円筒状に形成された被支承部（２２）の径と等しいかわずかに広く形成されることが好ましい。更に好ましくは、支承部（２４）の溝の幅が０．１ｍｍほど円筒状に形成された被支承部（２２）の径よりも大きく形成されるとよい（図６（ｂ）参照）。
また矩形溝形状の支承部（２４）の溝の上端部は、円筒状に形成された被支承部（２２）をより安定して支承するために、半円状に形成されている（図６（ｂ）参照）。
更に、互いに相向き合うように配置された矩形溝形状の支承部（２４）の溝底部の距離は、印判部（４）の左右に互いに相向き合うように配置された回転子（５）上に設けられた被支承部（２２）の端面の距離よりも長くなっており、印判部（４）の左右において若干の隙間が形成されている。互いに相向き合うように配置された矩形溝形状の支承部（２４）の溝底部の距離は、好ましくは、０．４ｍｍほど印判部（４）の左右に互いに相向き合うように配置された回転子（５）上に設けられた被支承部（２２）の端面の距離よりも長く形成されていることが好ましい（図６（ａ）参照）。
これにより印判部（４）の回転の際に生ずる被支承部（２２）と矩形溝形状の支承部（２４）の溝底部の間に発生する摩擦を減ずることとし、より円滑な回転を印判部（４）に与えている。
また印面部（２１）を上方に向け、操作部（６）の上面と印面部（２１）の印面（２１１）を平行にした状態で、印面部（２１）の印面（２１１）は操作部（６）の上方に位置している（図６（ａ）参照）。
これにより、印面部（２１）のみを印字することが可能になる。
【００２３】
図７は、キャップレス印鑑（１）の断面図である。図７に示される状態において、本回転子（５１）は保持部（３）に設けられた摺動区間（８）上にあり、また補助回転子（５２）は保持部（３）に設けられた補助摺動区間（１０）上に位置している。図７中、点線に囲まれた部分に示される図は、操作部（６）の操作部摺動突起部（２３）と保持部（３）の操作部摺動溝（１４）が嵌合している状態を示す。
図３に示される胴体部（２）と保持部（３）を嵌合させたものの上方から、図６に示される印判部（４）と操作部（６）を嵌合させたものを胴体部（２）と保持部（３）を嵌合させたものに嵌合させると、図７に示されるキャップレス印鑑（１）が形成される。
操作部（６）は操作部に設けられた環状の摺動突起部（２３）が保持部に設けられた操作部摺動溝（１４）に嵌合されるため、キャップレス印鑑（１）の軸方向には移動しない一方で、操作部（６）はキャップレス印鑑（１）の軸回りに回転可能とされる。
印判部（４）は、印判部（４）左右に延設された回転子（５）の被支承部（２２）の上端が、操作部（６）に設けられた支承部（２４）上端に当接しているため、キャップレス印鑑（１）の上方に移動しない。
また、印判部（４）左右に延設された回転子（５）の下方を操作部（６）の内方に位置する保持部（３）の上面に支持されるため、印判部（４）はキャップレス印鑑（１）下方にも移動しない。したがって、印判部（４）はキャップレス印鑑（１）の軸方向には移動しない。
【００２４】
また、操作部（６）に設けられた支承部（２４）は、矩形の長溝形状であるので（図６参照）、操作部（６）がキャップレス印鑑（１）の軸回りに回転すると、印判部（４）左右に延設された回転子（５）上の被支承部（２２）は支承部側面に当接し、結果として印判部（４）は操作部（６）のキャップレス印鑑（１）の軸回りの回転に伴って、キャップレス印鑑（１）の軸回りに回転する。
【００２５】
印判部（４）のキャップレス印鑑（１）の軸に直交する軸回りの回転について説明する。
印判部（４）に延設される一対の回転子（５）は、一対の回転子（５）上それぞれに配置される円柱形状の被支承部（２２）の軸を結ぶ線（図７中２点鎖線で示される）が、キャップレス印鑑（１）の軸と直交するように、印判部（４）上に配置される。一対の回転子（５）上それぞれに配置される円柱形状の被支承部（２２）の軸を結ぶ線を回転軸とし、印判部（４）は該回転軸周りに回転する。
この回転軸は、キャップレス印鑑（１）の軸と直交することが好ましい。更に好ましくは、この回転軸が印判部（４）の球面部の半径中心を通過することが望ましい。
回転子（５）は印判部（４）に対しては回転可能に取付けられておらず、また操作部（６）に対しては回転可能に取付けられているため、印判部（４）は回転子（５）の回転に伴って、回転する。
尚、操作部（６）に設けられる支承部（２４）の上端と操作部摺動突起部（２３）のキャップレス印鑑（１）軸方向の距離は、上記キャップレス印鑑（１）の軸に直交する回転軸が上下に変動しないように、定められる。
故に、支承部（２４）の上端は常に回転子（５）上の被支承部（２２）と接触している状態になる。
【００２６】
図８に印判部（４）の回転する状態を示す。図８上図は本回転子（５１）が保持部（３）上面に形成された摺動区間（８）及び回転突起部（７）に従って、摺動し、回転する様子を示している。図８中図は補助回転子（５２）が保持部（２）上面に形成された補助摺動区間（１０）及び補助回転区間（９）に従って、摺動し、回転する様子を示している。また、図８下図は印判部（４）が回転子（５）に伴って、回転する様子を示している。図８上図及び図８中図において、保持部（３）上面の形状を表現するために、保持部（３）は展開されている。また、図８において、回転子（５）は左方から右方に移動しているものとする。
上述のように、回転子（５）及び印判部（４）は操作部（６）のキャップレス印鑑（１）軸回りの回転に伴って、キャップレス印鑑（１）の軸回りに回転する。回転子（５）は、上述のように保持部（３）上面に配置されている。また回転子（５）に設けられた被支承部（２２）は、操作部（６）に設けられた支承部（２４）上端に押さえられているため、回転子（５）は常に保持部（３）上面に接した状態になる。
まず、組立時において、本回転子（５１）は摺動区間（８）上に設置されているものとする。このとき、補助回転子（５２）は補助摺動区間（１０）にあるものとする。また、印判部（４）の印面（２１１）は下方に向いている。
上記状態において、操作部（６）をキャップレス印鑑（１）の軸の反時計回りに回すと（図７参照）、図８において、本回転子（５１）は右方に移動し、保持部（３）上面に形成された摺動区間（８）上を移動する。本回転子（５１）が摺動区間（８）上を移動している間、略長方形状をした補助回転子（５２）は保持部（３）上面に形成された平坦な補助摺動区間（１０）を補助回転子（５２）の長辺を補助摺動区間（１０）に接した状態で移動する。略長方形状をした補助回転子（５２）の長辺全体が補助摺動区間（１０）に接しているため、回転子（５）は回転せず、結果として印判部（４）の印面（２１１）は、本回転子（５１）が摺動区間（８）を移動している間、下方を向いている。
【００２７】
更に操作部（６）を同方向に回すと、本回転子（５１）の本回転子摺動部（５１１）の直線部が、保持部（３）の摺動区間（８）から垂直に隆起した回転突起部（７）の左面に当接する。尚、回転突起部（７）の隆起高さは、本回転子（５１）が摺動区間（８）を摺動して移動してきたときに、本回転子（５１）の右方に形成される２つの本回転子突起部（５１２）の下方の突起部に当たらない高さに形成されているものとする。
更に操作部（６）を同方向に回すと、本回転子（５１）には、本回転子（５１）に設けられた円柱形状の被支承部（２２）の軸回りの回転モーメントが生じる。
このとき、本回転子（５１）と相向かい合う位置にある補助回転子（５２）は、保持部（３）上に形成された補助摺動区間（１０）と略Ｕ字状に凹んで形成された補助回転区間（９）の境に位置する。
上記状態から、更に操作部（６）を同方向に回すと、本回転子（５１）は本回転子（５１）に設けられた円柱形状の被支承部（２２）の軸回りに回転をし、本回転子（５１）に設けられた２つの本回転子突起部（５１２）は、略Ｗ字形状に形成された回転突起部（７）の谷部に噛合う。
一方このとき補助回転子（５２）は、図８中図において、右方に移動しながら本回転子（５１）の回転に伴って回転し、略長方形状の補助回転子（５２）の角部が保持部（３）上面に形成された補助回転区間（９）に当接する。
尚、補助摺動区間（１０）の終点若しくは補助回転区間（９）の始点は、上記補助回転子（５２）の回転運動の間、補助回転子（５２）上の何れかの部分が補助摺動区間（１０）に当接しているように定められる。
【００２８】
更に、操作部（６）を同方向に回すと、本回転子（５１）の本回転子突起部（５１２）のうち進行方向側にある突起に進行方向と逆方向の力が生じ、本回転子（５１）の被支承部（２２）の軸回りの回転モーメントが生じる。本回転子（５１）は右方に移動しながら回転する。
尚、本回転子突起部（５１２）の突起長さ及びそれに噛合う回転突起部（７）の谷部の深さは、本回転子（５１２）に繋がる印判部（４）を回転させるのに充分な回転力を生じさせるように定められている。また、回転突起部（７）に係る本回転子の回転の間、本回転子の回転面の何れかの部分が、回転突起部（７）の何れかの部分に当接しているように回転突起部（７）の形状は定められている。
本回転子（５１）は、本回転子突起部（５１２）が回転突起部（７）に完全に噛合った状態から９０°回転したところで、次の摺動区間（８）に至る。
【００２９】
上記本回転子（５１）の回転の間、補助回転子（５２）は保持部（３）上面に形成された補助回転区間（９）上を、補助回転子（５２）の円弧部を接しながら右方に移動しながら回転する。そして、本回転子突起部（５１２）が回転突起部（７）に完全に噛合った状態から９０°回転したところで、補助回転子（５２）の直線部の一部又は全部が次の補助摺動区間（１０）に面接触する。
尚、該次の補助摺動区間（１０）の始点若しくは補助回転区間（９）の終点は、本回転子突起部（５１２）が回転突起部（７）に完全に噛合った状態から９０°回転したところで、補助回転子（５２）の直線部の一部又は全部が次の補助摺動区間（１０）に面接触するように定められている。
また、補助回転子（５２）の円弧部の長さは、補助回転子（５２）の直線部が該次の補助摺動区間（１０）に至るまでの間、補助回転子（５２）の円弧部が補助摺動区間（１０）に接しているように定められる。
【００３０】
その後、操作部（６）のキャップレス印鑑（１）軸回りの回転に従って、本回転子（５１）は保持部（３）の摺動区間（８）上を移動する。このとき、補助回転子（５２）は平坦に形成された補助摺動区間（１０）上に補助回転子（５２）直線部を接した状態で摺動しており、本回転子（５１）は回転せず、摺動する。
【００３１】
印判部（４）は、上記回転子（５）の回転及び操作部（６）のキャップレス印鑑（１）軸回りの回転に伴い、キャップレス印鑑（１）の軸と直交する軸回りに回転し、同時にキャップレス印鑑（１）の軸回りに回転し、印判部（４）の印面（２１）をキャップレス印鑑（１）の軸と直角にかつ上方に露出させる（図７参照）。そして、回転子（５）が摺動運動すると、印判部（４）は印面（２１）を上にしたまま操作部（６）のキャップレス印鑑（１）軸回りの回転に従って、キャップレス印鑑（１）の軸の軸回りに回転する。
【００３２】
尚、上述したように一対に設けられた回転子（５）は常にその回転面を保持部（３）上面に接しており、かつ上述したように、回転子（５）に設けられた被支承部（２２）は操作部（６）に設けられた支承部（２４）の上端に押さえられているため、上記回転子（５）の運動の間、回転子（５）の回転軸は上下方向に変動しない。
また摺動区間（８）の本回転子（５１）が摺動する部分は、本回転子（５１）の回転軸の上下方向に変動しない移動軌跡（図８中の２点鎖線で示される）に対して平行に形成される。更に、本回転子（５１）の回転軸の移動軌跡と平行に形成された摺動区間（８）の部分との間隔は、本回転子の半円状に形成された本回転子摺動部（５１１）の半径に一致する。
更に補助摺動区間（１０）の補助回転子（５２）が摺動する部分は、同様にして、補助回転子（５２）の回転軸の移動軌跡と平行に形成されている。また補助摺動区間（１０）の補助回転子（５２）が摺動する部分と補助回転子（５２）の回転軸の移動軌跡との間隔は、略長方形状に形成された短辺側の幅の半分の長さに等しく形成される。
加えて、補助回転区間（９）の補助回転子（５２）が回転する部分は、同様にして、補助回転子（５２）の回転軸の移動軌跡と平行に形成されている。また補助回転区間（９）の補助回転子（５２）が回転する部分と補助回転子（５２）の回転軸の移動軌跡との間隔は、補助回転子（５２）の円弧部分の半径長さに等しい。
【００３３】
更に、回転子（５）による回転の回転軸がキャップレス印鑑（１）の軸と直交するように、摺動区間（８）と補助摺動区間（１０）の回転子（５）が摺動する部分のキャップレス印鑑（１）の軸方向の位置は定められる（図７参照）。
また、略Ｗ字状に形成された回転突起部（７）の谷部底面の位置若しくは谷部底面を基準とした山部の高さは、回転子（５）による回転の回転軸がキャップレス印鑑（１）の軸と直交するように定められている。
【００３４】
尚、また上記回転子（５）が移動する部分の始端及び終端にある保持部（３）上面の部分を隆起させて、回転止め部（１１）を形成し、回転子（５）が回転止め部（１１）に引掛かりそれ以上の移動を出来ないようにし、回転子（５）と連結する操作部（６）に対する回り止め機能を持たせてもよい。
【００３５】
上述のような構造において、回転子（５）及び保持部（３）の上面にかさ歯車を形成することによって、印判部（４）の回転を得るものであってもよい。この場合、小歯車に形成される回転子（５）と保持部上面に形成される歯車部との軸の関係は直交する。
【００３６】
図９に印判部（４）を回転させるための他の機構を示す。図９（ａ）は正面図であり、図９（ｂ）は側面図である。
図９に示す回転機構は、保持部（３００）、印判部（４００）、回転子（５００）及び回転ノブ（６００）からなる。
保持部（３００）は略円筒形状に形成されている。保持部（３００）の上面は略椀状に形成され、略椀状に窪んだ部分に略半球形状の印判部（４００）が収納される。印判部上面に設けられる印面部（２１）は保持部上面より上方に位置し、これにより印字を可能としている。
保持部（３００）の略椀状に形成された面には印判部（４００）を取付けるための開口部が設けられている。
印判部（４００）の対向する側面壁から一対の印判軸（４０１）が延出され、印判軸（４０１）は保持部（３００）に形成された開口部を挿通する。これにより、印判部（４００）は保持部（３００）に回転可能に取付けられる。その他の印判部（４００）の構造は図４に示される印判部（４）と同様である。
一対の印判軸（４０１）の一方の軸の先端に回転子（５００）が接続する。回転子（５００）が取付けられる側の保持部（３００）に形成される開口部の下方には、回転ノブ（６００）を取付けるための回転ノブ取付軸（３０１）が形成される。回転ノブ取付軸（３０１）の中心と該開口部の中心を結んだ線は、保持部（３００）の軸と平行とされる。
略円筒状に形成された回転ノブ（６００）は、回転ノブ（３０１）に回転可能に外嵌する。
また回転ノブ取付軸（３０１）が形成される面は平坦に形成される。
【００３７】
図１０に回転子（５００）を示す。図１０（ａ）は正面図であり、図１０（ｂ）は側面図である。
回転子（５００）は円板状に形成された円板部（５５０）と円板部上面に形成された略楕円板形状の楕円板部（５６０）からなる。楕円板部（５６０）の長軸に平行な側面は略平坦な摺動面（５６１）が形成されている。楕円板部（５６０）の短軸に平行な側面の一方側は円弧状に形成されている。他の側面は略Ｗ字状に形成された回転子突起部（５６２）が形成されている。
円板部（５５０）の下面は印判軸（４０１）と接続する。
【００３８】
回転ノブ（６００）は略円筒形状に形成される。回転ノブ（６００）の上半分側の保持部（３００）と接続する面には回転子（５００）を収納可能な半円弧帯状の回転溝（６１０）が形成される。
回転溝（６１０）は回転子（５００）の円板部（５５０）を支承する支承溝部（６２０）と楕円板部（５６０）を回転させるとともに保持する回転溝部（６３０）からなる。
支承溝部（６２０）は円板部（５５０）の直径よりも僅かに大きく形成されることが好ましい。また支承溝部（６２０）の深さは、円板部（５５０）の厚さと略等しく形成される。
支承溝部（６２０）の上面若しくは下面の何れか一方の面は回転子（５００）の円板部（５５０）の外周面と強く接触し、回転ノブ（６００）の回転駆動を回転子（５００）に伝達する。
回転溝部（６３０）の中央下面には回転子（５００）の回転子突起部（５６２）に対応する形状の回転突起部（６３１）が形成される。回転突起部（６３１）周辺においては、回転溝部（６３０）の幅は回転子（５００）の円板部（５５０）の直径よりも僅かに広く形成され、回転突起部（６３１）周辺で回転子（５００）が回転可能となっている。
また、半円弧溝両端において、回転溝部（６３０）は支承溝部（６２０）よりも狭く形成された摺動区間（６３２）が形成される。摺動区間（６３２）における溝幅は回転子（５００）の楕円板部（５６０）の短軸幅より僅かに大きく形成されることが好ましい。
【００３９】
上記構造の回転機構において、回転ノブ（６００）を回転させると、その回転力は回転ノブ（６００）の支承溝部（６２０）の面を通じて、回転子（５００）に伝達される。
回転子（５００）が摺動区間（６３２）にあるとき、回転子（５００）の楕円板部（５６０）は回転溝部（６３０）の上下面に挟持されるため回転せず、結果として回転子（５００）は回転溝（６１０）内を摺動することになる。
回転ノブ（６００）の回転に伴い、回転子（５００）が摺動区間（６３２）を過ぎると、回転子（５００）は支承溝部（６２０）から伝達される回転力により回転する。回転溝部に設けられた回転突起部（６３１）と回転子突起部（５６２）が係合することにより、その回転は確実になされることになる。
回転子（５００）が１８０°回転すると、回転子（５００）は回転溝部（６３０）の半円弧帯状溝他端に形成されたもう一方の摺動区間（６３２）に至り、回転子（５００）の楕円板部（５６０）は再び回転溝部（６３０）の上下面に挟持される。これにより、回転子（５００）は回転溝（６１０）内を摺動することとなる。
【００４０】
印判部（４００）は印判軸（４０１）を介して回転子（５００）と連結している。したがって、回転子（５００）が回転ノブ（６００）の回転によって上記のような摺動及び回転をすると、印判部（４００）は摺動し、回転する。
即ち、回転子（５００）が摺動している間、印判部（４００）は静止状態にある。回転子（５００）が回転すると、印判部（４００）は回転する。
回転子（５００）が回転溝（６１０）内を移動するとき、回転子（５００）は１８０°回転するので、印判部（４００）も１８０°回転する。これにより、印判部（４００）の印面（２１）は上下に切換えられる。
【００４１】
尚保持部（４００）の下端には、嵌合部（１５）が形成されている。図２に示すような形態と同様にして、嵌合部（１５）が胴体部（２）の環状嵌合部（９）と嵌合することによって、上記回転機構は胴体部（２）の上部に取付けられる。
【００４２】
上述のように示されるキャップレス印鑑（１）は、ボールペンやシャープペンなどの筆記具端部に取り付けられてもよい。これにより、事務作業を更に効率化可能である。すなわち、本発明に係るキャップレス印鑑（１）は操作部（３）若しくは回転ノブ（６００）を片手にて回転させることが可能である。故に、筆記をしながら、操作部（３）若しくは回転ノブ（６００）を操作することが可能であり、それにより印面（２１１）の露出・収納作業が可能である。
【産業上の利用可能性】
【００４３】
本発明は、事務用印鑑、特に筆記具と一体化したものに好適に適用される。
【図面の簡単な説明】
【００４４】
【図１】本発明に係るキャップレス印鑑の全体図である。（ａ）は上方から見た図、（ｂ）は正面図である。
【図２】本発明に係るキャップレス印鑑の保持部を示す図である。（ａ）は上方から見た図、（ｂ）は側面図、（ｃ）はＡ−Ａ断面図である。
【図３】本発明に係るキャップレス印鑑の保持部と胴体部の組立図である。
【図４】本発明に係るキャップレス印鑑の印判部を示す図である。（ａ）は正面図、（ｂ）は上方から見た図、（ｃ）は左方から見た図、（ｄ）は右方から見た図である。
【図５】本発明に係るキャップレス印鑑の操作部を示す図である。（ａ）は上方から見た図、（ｂ）はＢ−Ｂ断面図、（ｃ）は正面図である。
【図６】本発明に係るキャップレス印鑑の印判部と操作部の組立図である。（ａ）は印判部と操作部の組立図、（ｂ）は被支承部と支承部の嵌め合いの状態を示す。
【図７】本発明に係るキャップレス印鑑の組立断面図である。
【図８】本発明に係るキャップレス印鑑の回転子及び印判部の回転の状態を示す図である。
【図９】本発明に係るキャップレス印鑑の他の回転機構を示す図である。（ａ）は正面図、（ｂ）は側面図である。
【図１０】本発明に係るキャップレス印鑑の回転子を示す図である。
【符号の説明】
【００４５】
１・・・・・キャップレス印鑑
２・・・・・胴体部
３・・・・・保持部
３０１・・・回転ノブ保持部
４・・・・・印判部
５・・・・・回転子
５００・・・回転子
５１１・・・摺動部
５１２・・・突起部
５５０・・・円板部
５６０・・・楕円部
５６２・・・突起部
６・・・・・操作部
７・・・・・回転突起部
８・・・・・摺動区間
６００・・・回転ノブ
６１０・・・回転溝
６３２・・・摺動区間
【要約】
【課題】  キャップの着脱作業を要せず、また片手で印判の露出、収納作業ができるキャップレス印鑑の提供。
【解決手段】  胴体部と、該胴体部の上部に嵌合された保持部と前記胴体部の上部に該胴体部の軸回りに回転可能に取り付けられた円筒状の操作部と、該操作部の内側に配設される半球形状の印判部と、該印判部を胴体部の軸と直交する軸回りに回転させて印面部の上向きと下向きを切換える切換機構とからなり、前記印判部はその切面に印面部を有することを特徴とするキャップレス印鑑である。
【選択図】  図１
【図１】
0003626487.tif 000002
【図２】
0003626487.tif 000003
【図３】
0003626487.tif 000004
【図４】
0003626487.tif 000005
【図５】
0003626487.tif 000006
【図６】
0003626487.tif 000007
【図７】
0003626487.tif 000008
【図８】
0003626487.tif 000009
【図９】
0003626487.tif 000010
【図１０】
0003626487.tif 000011